(57)【要約】      （修正有）【課題】標的になるメンコと、このメンコに叩きつける攻撃用のメンコとをそれぞれ分けるとともに、叩きつけたメンコを一々拾わないで回収することができるメンコ遊び玩具を提供する。【解決手段】標的用のメンコ２に向かって攻撃用メンコ１を叩きつけて遊ぶメンコ遊び玩具Ａであって、このメンコ遊び玩具Ａは、攻撃用メンコ１と、伸縮自在な紐体４と、手首に装着するリストバンドとを備え、上記紐体４の先端には攻撃用メンコ１を取り付け、紐体４の後端にはリストバンド５を取り付けるとともに、上記紐体４と攻撃用メンコ１とは連結部材３を介して着脱可能に連結した。【選択図】図１
0003118056.tif 000002
【実用新案登録請求の範囲】
【請求項１】
標的や標的用のメンコに向かって攻撃用メンコを叩きつけて遊ぶメンコ遊び玩具であって、以下の要件を備えることを特徴とするメンコ遊び玩具
（イ）上記メンコ遊び玩具は、攻撃用メンコと、伸縮自在な紐体と、手首に装着するリストバンドとを備えること
（ロ）上記紐体の先端には攻撃用メンコが取り付けられ、上記紐体の後端にはリストバンドが取り付けられていること
（ハ）上記紐体と攻撃用メンコとは連結部材を介して着脱可能に連結され、攻撃用メンコを交換可能にしたこと
【請求項２】
前記リストバンドには手の甲側を中指に向かって張り出し部を設け、該張り出し部の先端には指を通すリング部材を取着するとともに、該リング部材には前記紐体の後端を取着した、請求項１記載のメンコ遊び玩具。
【考案の詳細な説明】
【技術分野】
【０００１】
本考案は、メンコ遊び玩具、詳しくは標的や標的用のメンコに向かって攻撃用メンコを叩きつけて遊ぶメンコ遊び玩具に関するものである。
【背景技術】
【０００２】
メンコ遊びは長い間子供たちの間で非常にポピュラーな遊びとして親しまれてきた。このメンコ遊びは自分のメンコを相手のメンコに叩きつけ、相手のメンコをひっくり返して自分のものにするというものであったが、メンコ自体には何ら工夫がなされていなかったが、ゲーム性を高めるためにメンコ自体に工夫をしたメンコが本出願人から提案されている（例えば、特許文献１）。このメンコは、メンコ本体に錘部材を着脱できるようにし、その錘部材の取り付け位置によっては簡単にひっくり返らないようにしたものである。
【特許文献１】実用新案登録第３０８１２０７号公報
【考案の開示】
【考案が解決しようとする課題】
【０００３】
本考案が解決しようとする問題点は、上述のメンコ遊びでは、叩きつけたメンコを拾い上げる必要があり、連続してメンコを叩きつけることができない点であった。
【０００４】
本考案は、上記問題点を解決し、標的になるメンコと、このメンコに叩きつける攻撃用のメンコとをそれぞれ分けるとともに、叩きつけたメンコを一々拾わないで回収することができる画期的なメンコ遊びができるメンコ遊び玩具を提供することを課題とする。
【課題を解決するための手段】
【０００５】
前記課題を解決するために本考案に係るメンコ遊び玩具は、標的や標的用のメンコに向かって攻撃用メンコを叩きつけて遊ぶメンコ遊び玩具であって、以下の要件を備えることを特徴とする。
（イ）上記メンコ遊び玩具は、攻撃用メンコと、伸縮自在な紐体と、手首に装着するリストバンドとを備えること
（ロ）上記紐体の先端には攻撃用メンコが取り付けられ、上記紐体の後端にはリストバンドが取り付けられていること
（ハ）上記紐体と攻撃用メンコとは連結部材を介して着脱可能に連結され、攻撃用メンコを交換可能にしたこと
なお、前記リストバンドには手の甲側を中指に向かって張出部を設け、該張出部の先端には指を通すリング部材を設けるとともに、該リング部材には前記紐体の後端を取着し、紐体を強く引いたときには攻撃用メンコは手の平に戻るようにすることが好ましい。
【考案の効果】
【０００６】
請求項１の考案によれば、リストバンドと攻撃用メンコとが紐体で連結されているので、投げた後に拾う必要がなく回収することができる。しかも、攻撃用メンコは連結部材を介して着脱可能に連結しているので他の攻撃用メンコと容易に交換することができる。
【０００７】
請求項２の考案によれば、紐の後端を中指に挿通したリング部材に取り付けたので、投げ終わった攻撃用メンコを紐の弾性で引き上げた際、手の平に向かって戻ってくるので、攻撃用メンコを容易に掴むことができる。
【考案を実施するための最良の形態】
【０００８】
図１は本考案に係るメンコ遊び玩具の構成を説明する斜視図を示し、このメンコ遊び玩具Ａは標的を狙って叩きつける攻撃用メンコ１と、標的２とから構成されている。
【０００９】
上記攻撃用メンコ１は、連結部材３及び伸縮性を有する紐体（例えば、ゴムひも）４を介してプレイヤーの手首に取り付けるリストバンド５に連結されている。
【００１０】
上記リストバンド５は手首に巻きつけ、面ファスナー６ａ、６ｂで端部５ａ、５ｂを連結することにより、手首に簡単に固定することができるようになっており、このリストバンド５の中央には張り出し部７が形成され、この張り出し部７には帯状の取付部材８を介してリング部材９が取り付けられ、このリング部材９には上記紐体４の終端が結び付けられている。
【００１１】
このリング部材９の大きさはプレイヤーの指を挿通できる程度の大きさのもので、張り出し部７が手の甲側に位置するようにして、中指をリング部材９に挿通した後、リストバンド５を手首に巻きつけ面ファスナー６ａ、６ｂで固定して使用するようになっている。
【００１２】
上記攻撃用メンコ１には連結部材３の一方である雄型ジョイント３ａが取り付けられ、紐体４の先端には連結部材３の他方である雌型ジョイント３ｂが取り付けられているので、雄型ジョイント３ａと雌型ジョイント３ｂとを分離すれば、攻撃用メンコ１は紐体４から分離することができるので、他の攻撃用メンコ１と容易に交換することができる。
【００１３】
この攻撃用メンコ１は床に叩きつけた際の衝撃を増幅させるためにゴム素材で略板状に形成されている。
【００１４】
標的２は、図２（ａ）〜（ｃ）に示すように、金属の円盤で中央が下方に膨出して形成した標的メンコで構成し、この標的メンコ２を膨出部２ａが床面に当接するように配置し、攻撃用メンコ１を縁部２ｂに当てることにより容易にひっくり返すことができるようになっている。
【００１５】
次に、上記構成のコマ玩具の遊技態様について説明する。先ず、図３に示すように、プレイヤーは張り出し部７を手の甲側に位置するようにして中指をリング部材９に差し込んだ後、リストバンド５を手首に巻きつけ、面ファスナー６ａ、６ｂで固定して、リストバンド５を手首に取り付ける。
【００１６】
そして、攻撃用メンコ１を手で握って、図４に示すように、標的メンコ２を狙って床面に叩きつける。攻撃用メンコ１が標的メンコ２の縁部２ｂに当たれば、図５に示すように、標的メンコ２は弾かれてひっくり返すことができる。裏返った標的メンコは獲得するようにしてもよい。
【００１７】
また、攻撃用メンコ１をむやみに叩きつけるのではなく、どの標的メンコ２を狙って攻撃するかを宣言してから攻撃用メンコ１を床面にたたきつけるようにしてもよい。
【００１８】
一旦、床面に叩きつけた攻撃用メンコ１は、紐体４を強く引けば紐体４の弾性で手元に引き戻される。紐体４の後端はリング部材９に結び付けてあるので、攻撃用メンコ１は手の中に自動的に戻ることになり、身を屈めて攻撃用メンコ１を一々拾う必要はなく、メンコ遊びを連続して楽しむことができる。
【００１９】
なお、本考案では標的を標的メンコで構成した場合について説明したが、攻撃用メンコを叩きつけて勝負を競うものであれば、標的は標的メンコには限定されない。例えば、ダーツで使われる的のようなものを標的にし、この標的を感圧紙で作って壁に貼り、その標的に向かって攻撃用メンコを叩きつけ、当たった場所の色が変ることによりその場所が判るようにしてもよいし、攻撃用メンコの標的となるものであれば、標的は標的メンコには限定されない。
【図面の簡単な説明】
【００２０】
【図１】本考案に係るメンコ遊び玩具の構成を説明する斜視図
【図２】（ａ）〜（ｃ）は標的メンコの平面側斜視図、底面側斜視図及び縦断面図
【図３】リストバンドを手に取着した状態を説明する斜視図
【図４】本考案に係るメンコ遊び玩具の遊技態様の説明図
【図５】攻撃用メンコを標的メンコに叩きつけた状態の説明図
【符号の説明】
【００２１】
Ａ    メンコ遊び玩具
１    攻撃用メンコ
２    標的メンコ
３    連結部材
４    紐体
５    リストバンド
９    リング部材
【図１】
0003118056.tif 000003
【図２】
0003118056.tif 000004
【図３】
0003118056.tif 000005
【図４】
0003118056.tif 000006
【図５】
0003118056.tif 000007